(57)【要約】【課題】複数の発光素子を配列して検出値に従って発光表示する発光表示装置に関し、コストダウンを図る。【解決手段】検出値Ｖｓと基準値Ｖｒとの差分値に対応した個数の発光素子１１  〜１ｎ  により発光表示する発光表示装置に於いて、電源電圧Ｖｃｃを印加した複数の発光素子１１  〜１ｎ  にそれぞれ接続した複数のインバータ２１  〜２ｎ  と、シャントレギュレータ８等により基準値Ｖｒを発生する基準電源３と、この基準電源３からの基準値Ｖｒと検出値Ｖｓとの差分を、抵抗４１  〜４ｎ  ，５１  〜５ｎ  によりそれぞれ異なる分圧比で分圧して複数のインバータ２１  〜２ｎ  に入力する構成を備えている。【選択図】      図１
2004239865.tif 000002
【特許請求の範囲】
【請求項１】
検出値と基準値との差分値に対応した個数の発光素子により発光表示する発光表示装置に於いて、
電源電圧を印加した複数の前記発光素子にそれぞれ接続した複数のインバータと、
前記基準値を発生する基準電源と、
該基準電源からの基準値と前記検出値との差分をそれぞれ異なる分圧比で分圧して複数の前記インバータに入力する分圧抵抗と
を備えたことを特徴とする発光表示装置。
【請求項２】
前記基準電源は、前記電源電圧を抵抗を介して印加する端子電圧を前記基準値とするシャントレギュレータにより構成したことを特徴とする請求項１記載の発光表示装置。
【請求項３】
前記基準電源は、前記電源電圧を抵抗を介して充電して端子電圧を前記基準値とするコンデンサと、該コンデンサの端子電圧を抵抗を介して入力し、出力端子を抵抗を介して前記コンデンサに接続したインバータとにより構成したことを特徴とする請求項１記載の発光表示装置。
【請求項４】
前記インバータ対応に前記検出値と前記基準値との差分をそれぞれ異なる分圧比で分圧する分圧抵抗を設けたことを特徴とする請求項１記載の発光表示装置。
【請求項５】
前記検出値と前記基準値とを両端に印加し、複数の前記インバータ対応にそれぞれ異なる分圧値を入力する直列接続の分圧抵抗を設けたことを特徴とする請求項１記載の発光表示装置。
【発明の詳細な説明】
【０００１】
【発明の属する技術分野】
本発明は、各種の検出値のレベル対応に複数の発光素子を設け、該検出値のレベル範囲内の発光素子を発光させる発光表示装置に関する。
【０００２】
【従来の技術】
複数の発光素子を配列し、電圧として検出した各種の検出値のレベル範囲を表示する発光表示装置が知られており、例えば、図５に示すように、複数の発光ダイオード等の発光素子５１１  〜５１ｎ  を配列して設け、発光素子５１１  〜５１ｎ  対応にそれぞれ比較器５２１  〜５２ｎ  を設け、発光素子５１１  〜５１ｎ  には電圧Ｖｃｃを印加し、入力端子に加えられた検出値Ｖｓをそれぞれ抵抗値が異なる抵抗５４１  〜５４ｎ  と抵抗５５１  〜５５ｎ  とにより分圧して、基準電源５３からの基準値Ｖｒと比較器５２１  〜５２ｎ  により比較し、分圧値が基準値Ｖｒを超えると、比較器の出力端子がローレベルとなって、その比較器の出力端子に接続された発光素子に電圧Ｖｃｃによる電流が流れて発光する。即ち、基準値を超えた範囲の発光素子が発光する。
【０００３】
この場合、発光素子５１１  〜５１ｎ  を、アナログ信号の検出値をディジタル化した時のディジタル値に対応させることができる。又図５に示す場合と反対に、検出値のレベルが低い範囲に対応する発光素子を発光させて表示するように、比較器５２１  〜５２ｎ  と発光素子５１１  〜５１ｎ  との接続を行い、入力端子に検出値Ｖｓとしてバッテリーの電圧を入力して、バッテリーの残存容量を表示する構成も知られている（例えば、特許文献１参照）。
【０００４】
【特許文献１】
実用新案登録第３０６７９３１号公報
【０００５】
【発明が解決しようとする課題】
従来の図５に示す構成に於いては、複数の発光素子５１１  〜５１ｎ  対応に比較器５２１  〜５２ｎ  を設けるものであり、これらの比較器５２１  〜５２ｎ  は他の回路部品に比較して高価であり、従って、多数の発光素子５１１  〜５１ｎ  に比較器５２１  〜５２ｎ  を設けた構成はコストアップとなる問題がある。又基準値を発生する為の基準電源５３を必要とするものであり、電池として表示してあるが、安定化した電圧を発生させる構成が必要となる。
本発明は、比較器より安価なインバータ等のゲート回路を用いてコストダウンを図ることを目的とする。
【０００６】
【課題を解決するための手段】
本発明の発光表示装置は、図１を参照して説明すると、検出値Ｖｓと基準値Ｖｒとの差分値に対応した個数の発光素子１１  〜１ｎ  により発光表示する発光表示装置に於いて、電源電圧Ｖｃｃを印加した複数の発光素子１１  〜１ｎ  にそれぞれ接続した複数のインバータ２１  〜２ｎ  と、基準値Ｖｒを発生する基準電源３と、この基準電源３からの基準値Ｖｒと検出値Ｖｓとの差分をそれぞれ異なる分圧比で分圧して複数のインバータ２１  〜２ｎ  に入力する分圧抵抗とを備えている。
【０００７】
又基準電源３は、電源電圧Ｖｃｃを抵抗７を介して印加する端子電圧を基準値Ｖｒとするシャントレギュレータ８により構成することができる。又基準電源３は、電源電圧を抵抗を介して充電して端子電圧を基準値Ｖｒとするコンデンサと、このコンデンサの端子電圧を抵抗を介して入力し、出力端子を抵抗を介してコンデンサに接続したインバータとにより構成することができる。
【０００８】
又インバータ２１  〜２ｎ  対応に検出値Ｖｓと基準値Ｖｒとの差分をそれぞれ異なる分圧比で分圧する分圧抵抗４１  〜４ｎ  ，５１  〜５ｎ  を設けて構成することができる。又検出値Ｖｓと基準値Ｖｒとを両端に印加し、複数のコンバータ対応にそれぞれ異なる分圧値を入力する直列接続の分圧抵抗を設けて構成することができる。
【０００９】
【発明の実施の形態】
図１は本発明の第１の実施の形態の説明図であり、１１  〜１ｎ  は発光ダイオード等の発光素子、２１  〜２ｎ  はゲート回路としてのインバータ、３は基準電源、４１  〜４ｎ  ，５１  〜５ｎ  は分圧用の抵抗、６１  〜６ｎ  は発光素子に対する保護用の抵抗、７は抵抗、８はシャントレギュレータ、Ｖｃｃは電源電圧、Ｖｒは基準値、Ｖｓは検出値を示す。
【００１０】
複数のインバータ２１  〜２ｎ  は、それぞれ同一の構成で同一の特性を有するもので、閾値を超えたハイレベルの入力信号を反転してローレベルの出力信号とするものである。又抵抗４１  〜４ｎ  ，５１  〜５ｎ  により、入力端子に加えられた検出値Ｖｓと基準電源３からの基準値Ｖｒとの差分を、異なる分圧比で分圧してインバータ２１  〜２ｎ  に入力する。又基準電源３は、シャントレギュレータ８を含む構成を有し、シャントレギュレータ８は、電源電圧Ｖｃｃを抵抗７を介して印加することにより、基準値Ｖｒを維持するように電流を流す機能を有するもので、既に知られている各種の構成を適用することができる。
【００１１】
電圧，電流，圧力，流量，速度等の各種の測定分野に於いて電圧値として検出した検出値Ｖｓが、例えば、抵抗４２  ，５２  により分圧され、その分圧値がインバータ２２  の閾値を超える場合、抵抗４１  ，５１  による分圧値もインバータ２１  の閾値を超える状態となるように、それぞれの分圧抵抗による分圧値が設定されるから、発光素子１１  ，１２  に抵抗６１  ，６２  を介して電流が流れて発光し、他の抵抗４３  〜４ｎ  ，５３  〜５ｎ  による分圧値はインバータ２３  〜２ｎ  の閾値を超えない状態となる。従って、発光素子１１  〜１ｎ  の中の発光素子１１  ，１２  が発光して、検出値Ｖｓのレベルを表示することができる。
【００１２】
インバータ２１  〜２ｎ  は、比較器よりも構成が簡単で、廉価であるから、従来の構成に比較してコストダウンを図ることができる。又前述の実施の形態は、抵抗４１  〜４ｎ  ，５１  〜５ｎ  による分圧値がインバータ２１  〜２ｎ  の閾値を超えた時に発光素子１１  〜１ｎ  を発光させる構成の場合を示すが、それぞれ２個のインバータを直列に接続した構成を適用すると、分圧値が閾値を超えない時に、発光素子１１  〜１ｎ  を発光させて表示させる構成とすることもできる。
【００１３】
図２は本発明の第２の実施の形態の説明図であり、図１と同一符号は同一部分を示し、９１  〜９ｎ＋１  は抵抗を示す。この実施の形態は、抵抗９１  〜９ｎ＋１  により、入力端子に加えられた検出値Ｖｓと、基準値Ｖｒとの差分をそれぞれ分圧してインバータ２１  〜２ｎ  に入力する構成とし、図１と同様の動作により発光表示するものであり、図１に比較して分圧抵抗の個数を低減することができる利点がある。
【００１４】
図３は本発明の第３の実施の形態の説明図であり、図１と同一符号は同一部分を示し、基準電源３を、インバータ１０と抵抗１１，１２とコンデンサ１３とにより構成した場合を示す。この基準電源３は、コンデンサ１３の端子電圧が基準値Ｖｒとなるように、インバータ１０の閾値と、抵抗１１，１２とを選定するものであり、インバータ１０の入力端子に、インバータ１０の閾値以下の電圧が入力された時、出力端子はハイレベルとなり、抵抗１１を介してコンデンサ１３の充電が行われ、このコンデンサ１３の端子電圧をインバータ１０の入力端子に抵抗１２を介して入力し、その入力電圧がインバータ１０の閾値を超えると、インバータ１０の出力端子はローレベルとなり、抵抗１１を介してコンデンサ１３の放電が行われる。そして、コンデンサ１３の端子電圧が再びインバータ１０の閾値以下となると、インバータ１０の出力端子はハイレベルとなるから、コンデンサ１３の放電は停止し、抵抗１１を介したコンデンサ１３の充電が開始される。このような動作を繰り返して、安定した一定値の基準値Ｖｒを出力することができる。
【００１５】
又この基準電源３からの基準値Ｖｒと、入力端子に加えられた検出値Ｖｓとの差分を分圧用の抵抗４１  〜４ｎ  ，５１  〜５ｎ  により分圧し、それぞれの異なる分圧値がインバータ２１  〜２ｎ  の閾値を超えた場合に、その検出値Ｖｓのレベルに対応した個数の発光素子１１  〜１ｎ  による発光表示を行わせるもので、各部の動作は、図１に示す実施の形態と同様であるから、重複した説明は省略する。
【００１６】
図４は本発明の第４の実施の形態の説明図であり、図２及び図３と同一符号は同一部分を示す。即ち、図２に示す発光表示機能の基準電源３を、図３に於けるインバータ１０と抵抗１１，１２とコンデンサ１３とからなる基準電源３とした構成を示し、直列接続の分圧用の抵抗９１  〜９ｎ＋１  によるそれぞれ異なる分圧値に従ってインバータ２１  〜２ｎ  を介して発光素子１１  〜１ｎ  による発光表示を行わせる動作は、図２の場合と同様であり、且つ基準電源３の動作は、図３に於ける動作と同様であるから、重複した説明は省略する。
【００１７】
【発明の効果】
以上説明したように、本発明は、電源電圧Ｖｃｃを印加した複数の発光ダイオード等の発光素子１１  〜１ｎ  対応にインバータ２１  〜２ｎ  を設け、電圧，電流，圧力，流量，輝度等の各種の検出値Ｖｓを電圧値として、基準電源３からの基準値Ｖｒとの差分をそれぞれ異なる分圧比で分圧してインバータ２１  〜２ｎ  に入力するもので、従来の比較器を用いた構成に比較して、インバータ２１  〜２ｎ  は構成が簡単で且つ廉価であるから、発光表示装置のコストダウンを図ることができる。又基準電源としてシャントレギュレータやインバータにより構成することにより、比較器等を用いた従来の基準電源に比較して廉価な構成とすることができる利点がある。
【図面の簡単な説明】
【図１】本発明の第１の実施の形態の説明図である。
【図２】本発明の第２の実施の形態の説明図である。
【図３】本発明の第３の実施の形態の説明図である。
【図４】本発明の第４の実施の形態の説明図である。
【図５】従来例の説明図である。
【符号の説明】
１１  〜１ｎ    発光素子
２１  〜２ｎ    インバータ
３  基準電源
４１  〜４ｎ  ，５１  〜５ｎ    分圧用の抵抗
６１  〜６ｎ    保護用の抵抗
７  抵抗
８  シャントレギュレータ
Ｖｓ  検出値
Ｖｒ  基準値
Ｖｃｃ  電源電圧
【図１】
2004239865.tif 000003
【図２】
2004239865.tif 000004
【図３】
2004239865.tif 000005
【図４】
2004239865.tif 000006
【図５】
2004239865.tif 000007